(57)【要約】【課題】ＬＥＤの光量の低下を抑止し、発熱を抑えるとともに、製造コストを最小限に抑えることが可能なＬＥＤ変調駆動回路を提供する。【解決手段】ＬＥＤ変調駆動回路１００は、ＬＥＤに駆動電流を流す直流電源回路１００と、前記駆動電流を変調する変調信号の電流能力を強化するバッファ回路１２０と、バッファ回路１２０の出力を駆動電流に容量結合させるコンデンサ１３０と、を備える。この構成によれば、バッファ回路１２０によって変調信号の電流能力が強化されてコンデンサ１３０に供給されるため、ＬＥＤの駆動電流に容量結合されたコンデンサ１３０によってＬＥＤの駆動電流を変調させることができる。【選択図】図１
2014011743.tif 000002
【特許請求の範囲】
【請求項１】
ＬＥＤに駆動電流を流す直流電源回路と、
前記駆動電流を変調する変調信号の電流値を増加させるバッファ回路と、
前記バッファ回路の出力を前記駆動電流に容量結合させるコンデンサと、
を備えることを特徴とする、ＬＥＤ変調駆動回路。
【請求項２】
前記直流電源回路は、前記ＬＥＤを流れる電流値に応じて、前記駆動電流を流すための電圧値を制御することを特徴とする、請求項１に記載のＬＥＤ変調駆動回路。
【請求項３】
前記駆動電流の経路において、前記直流電源回路と前記コンデンサが容量結合される部位との間にインダクタが設けられたことを特徴とする、請求項１に記載のＬＥＤ変調駆動回路。
【請求項４】
前記バッファ回路の前段に前記変調信号を増幅する増幅回路を更に備えることを特徴とする、請求項１に記載のＬＥＤ変調駆動回路。
【請求項５】
複数の前記ＬＥＤが直列に接続されて構成される表示パネルのバックライトに適用されることを特徴とする、請求項１に記載のＬＥＤ変調駆動回路。
【発明の詳細な説明】
【技術分野】
【０００１】
本発明は、ＬＥＤ変調駆動回路に関する。
【背景技術】
【０００２】
従来、例えば下記の特許文献１には、可視光領域で発光する照明用の光源と、この光源を通信情報に基づいて点滅制御して光送信を行う点滅制御手段とを有する可視光通信用照明器具が記載されている。
【０００３】
また、下記の特許文献２には、可視光通信において、キャリア信号を加えた時でも、照明としての明るさが変わらないＬＥＤ変調駆動回路を想定した技術が記載されている。
【０００４】
また、下記の特許文献３（請求項１）には、変調信号重畳回路には、トランスがその二次側をＬＥＤ光源とＬＥＤ駆動回路間に直列に接続して設けられ、トランスの二次側の入力側とグランド間にコンデンサが接続され、トランスの一次側には、送信情報信号により搬送波を変調した高周波信号を供給する変調信号回路が接続される構成が記載されている。
【先行技術文献】
【特許文献】
【０００５】
【特許文献１】特開２００７−２６６７９５号公報
【特許文献２】特開２００８−３１２０８１号公報
【特許文献３】特開２０１２−１０２６９号公報
【発明の概要】
【発明が解決しようとする課題】
【０００６】
しかしながら、特許文献１に記載された技術は、ＬＥＤのオン／オフを電界効果型トランジスタ（図１に示されるＦＥＴ６ａ）により行うため、ＦＥＴがオフの場合はＬＥＤへの電流が完全に遮断されることになる。このため、情報通信を行うためにデータ信号に応じてＬＥＤを点滅させると、光出力が変化し、ＬＥＤの光量が低下する問題が発生する。また、ＬＥＤの明るさが低下するとともに発光の「ちらつき」が発生し、本来の照明機器としての機能を果たせなくなる問題が発生する。また、ＬＥＤを点灯する場合と比べて、可視光の輝度が小さくなるため、外光の干渉を受け易くなる。この結果、送信される情報の精度が低下するという問題がある。更に、特許文献１に記載された技術では、ＬＥＤのオン／オフをＦＥＴにより行うため、周波数が高くなるほど発熱が生じやすいという問題が生じる。このため、ＬＥＤの点滅により大容量の情報を送信しようとする場合、周波数を高くする必要があるが、発熱量が増大する問題が生じる。更に、テレビ受像器等に使用される表示パネルのＬＥＤを制御する場合、多数のＬＥＤが使用され、ＬＥＤの電流値が大きいため、ＦＥＴの発熱が顕著になる問題がある。
【０００７】
また、特許文献２に記載された技術では、共振回路やＬＥＤの末端のカソード（Ｃａｔｈｏｄｅ）に接続されるＦＥＴでキャリア信号を増幅制御しているため、キャリア信号の強度調整が困難になる。また、特許文献２においても、ＬＥＤ電流が多くなるにつれ、または、キャリア信号の周波数が高くなるにつれＦＥＴの発熱が大きくなるという問題があり、発熱を抑えるためにはコスト上昇を避けることができない。特に、特許文献２に記載された技術では、ＬＥＤは完全には消灯しないため、特許文献１に記載された技術と比較すると更に発熱量が大きくなる問題がある。
【０００８】
また、特許文献３に記載された技術では、ＬＥＤ電流にトランスを結合しているため、結合定数、発熱対策、大きさなどについてトランスの設計を別途行う必要がある。このため、製造コストが大幅に増大する問題がある。また、トランスは比較的大型の部品であるため、製品の小型化に不利となり、特に薄型の表示パネルへの適応が困難になるという問題がある。特に、表示パネルは多数のＬＥＤを使用するため、電流量が増大し、トランスが大型化する問題が生じる。
【０００９】
そこで、本発明は、上記問題に鑑みてなされたものであり、本発明の目的とするところは、ＬＥＤの光量の低下を抑止し、発熱を抑えるとともに、製造コストを最小限に抑えることが可能な、新規かつ改良されたＬＥＤ変調駆動回路を提供することにある。
【課題を解決するための手段】
【００１０】
上記課題を解決するために、本発明のある観点によれば、ＬＥＤに駆動電流を流す直流電源回路と、前記駆動電流を変調する変調信号の電流値を増加させるバッファ回路と、前記バッファ回路の出力を前記駆動電流に容量結合させるコンデンサと、を備えるＬＥＤ変調駆動回路が提供される。
【００１１】
上記構成によれば、ＬＥＤの駆動電流を変調する変調信号の電流値がバッファ回路によって増加され、バッファ回路の出力がコンデンサによってＬＥＤの駆動電流に容量結合される。従って、バッファ回路によって変調信号の劣化が抑えられるため、ＬＥＤの駆動電流に容量結合されたコンデンサを介して、駆動電流を精度良く変調することが可能となる。
【００１２】
また、前記直流電源回路は、前記ＬＥＤを流れる電流値に応じて、前記駆動電流を流すための電圧値を制御する。この構成によれば、ＬＥＤを流れる電流値に応じて、前記駆動電流を流すための電圧値が制御されるため、ＬＥＤを流れる電流値を所望の値に制御することが可能となる。
【００１３】
また、前記駆動電流の経路において、前記直流電源回路と前記コンデンサが容量結合される部位との間にインダクタが設けられる。この構成によれば、コンデンサの容量結合によって伝播される変調信号はＬＥＤの駆動電流に直接作用するため、信号の減衰を抑えるとともに、発熱を抑えることが可能となる。
【００１４】
また、前記バッファ回路の前段に前記変調信号を増幅する増幅回路を更に備える。この構成によれば、変調信号を容易に増幅することができる。
【００１５】
また、少なくとも１つ以上の前記ＬＥＤが直列に接続されて構成される表示パネルのバックライトに適用される。この構成によれば、複数の前記ＬＥＤが直列に接続されて構成される表示パネルに流れる電流を変調するため、表示パネルの輝度の増減によって情報を送信する。しかし、ＬＥＤ群に流れる平均電流は変調前と変わらないため、輝度に変化はない。
【発明の効果】
【００１６】
本発明によれば、ＬＥＤの輝度低下を抑止するとともに、発熱を抑えることが可能なＬＥＤ変調駆動回路を提供することができる。
【図面の簡単な説明】
【００１７】
【図１】本発明の一実施形態に係るＬＥＤ変調駆動回路の構成を示す模式図である。
【図２】図１に示すＬＥＤ変調駆動回路の構成を更に詳細に示す模式図である。
【図３】前記ＬＥＤ群の構成を示す模式図である。
【図４】図２のＬＥＤ変調駆動回路により変調された、ＬＥＤ群を流れるＬＥＤ電流を説明するための特性図である。
【図５】図２に示した本実施形態のＬＥＤ変調駆動回路により変調したＬＥＤ電流のＡＣ特性を示す特性図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
図１は、本発明の一実施形態に係るＬＥＤ変調駆動回路１００の構成を示す模式図である。図１に示すように、ＬＥＤ変調駆動回路１００は、直流電源回路（Ｂｏｏｓｔ  Ｃｏｎｖｅｒｔｅｒ）１１０、バッファ回路１２０、コンデンサ（Ｃａｐａｃｉｔｏｒ）１３０、ＬＥＤ群（ＬＥＤ  ｓｔｒｉｎｇｓ）１４０、増幅回路（１）１５０、増幅回路（２）１６０、を有して構成されている。ＬＥＤ群１４０は、複数のＬＥＤから構成されており、表示パネルのバックライトとして使用されることができる。
【００２０】
ＬＥＤ変調駆動回路１００では、異なる２つの増幅回路（増幅回路（１）１５０、増幅回路（２）１６０）とバッファ回路１２０が接続され、２つの増幅回路で増幅された変調信号が、コンデンサ１３０を介してＬＥＤ群１４０の末端のアノード電極（Ａｎｏｄｅ）１４２へ接続されている。
【００２１】
ＬＥＤ群１４０を発光させるために、ＬＥＤ群１４０と直流電源回路１１０は、インダクタ１７０を介して接続されている。インダクタ１７０は、ＬＥＤ群１４０の点灯用の回路である直流電源回路１１０と、ＬＥＤ変調回路のバッファ回路１２０及びコンデンサ１３０とが互いに作用し合わないように設けられている。ＬＥＤ群１４０へ流れる電流を一定にするため、ＬＥＤ群１４０へ流れた電流はフィードバック回路（図１において不図示）を介して直流電源回路１１０へ接続されている。
【００２２】
増幅回路（１）１５０は、入力端子１５１に入力された変調信号をｐｎｐトランジスタ１５２にて増幅し、エミッタフォロア１５４を通して出力する。増幅回路（２）１６０は、増幅回路（１）１５０で増幅された信号を、ｎｐｎトランジスタ１６２、ｐｎｐトランジスタ１６４で任意の強さに増幅する。増幅された信号は、各トランジスタ１６２，１６４のベースに接続される抵抗にて生成されるＤＣ電圧と合成される。増幅回路（２）１６０で増幅された信号はバッファ回路１２０へ入力される。バッファ回路１２０は、増幅回路（２）１６０からの出力信号の電流機能を強化する回路であり、コンデンサ１３０によるキャリア信号伝達変調を実現させるために設けられている。
【００２３】
バッファ回路１２０からの出力信号は、コンデンサ１３０を介してＡＣ成分のみＬＥＤ群１４０の末端のアノード電極１４２へ伝達される。直流電源回路１１０とＬＥＤ群１４０との間にインダクタ１７０があるため、ＬＥＤ群１４０には、コンデンサ１３０から伝達された信号により変調されたＬＥＤ電流が流れる。すなわち、電源からＬＥＤ群１４０の間にインダクタ１７０を設けて直流電源回路１１０とＬＥＤ群１４０とを断絶しているため、コンデンサ１３０の容量結合によって伝播される変調信号（キャリア信号）はＬＥＤ電流に直接作用する。すなわち、前述した特許文献１，２等に記載されたＦＥＴによる信号の減衰が生じることがなく、またＬＥＤ電流が大きい場合又は変調信号の周波数が高い場合等に想定される発熱が生じることなく、ＬＥＤ電流を変調させることが可能である。なお、インダクタ１７０の代わりに、抵抗またはダイオード（Ｄｉｏｄｅ）を用いても良い。インダクタ１７０を用いることにより、特に発熱を抑止することが可能である。
【００２４】
このように、本実施形態では、ＬＥＤ電流は直流電源回路１１０にて制御しており、コンデンサ１３０を介して伝達されるキャリア信号により、直接的にＬＥＤ電流が変調される。
【００２５】
増幅回路（１）１５０の入力端子１５１には、変調信号が入力される。変調信号は、“０”、“１”のデジタル信号をアナログに変換して得られた信号である。変調信号は、増幅回路（１）１５０で増幅されて増幅回路（２）１６０に入力された後、更に増幅回路（２）１６０で増幅されてバッファ回路１２０へ入力される。
【００２６】
バッファ回路１２０は、変調信号の電流能力を強化する機能を有し、変調信号の情報の劣化を抑えるとともに、変調信号にノイズ等の成分が含まれないようにする機能を有している。バッファ回路１２０を設けることによって、バッファ回路１２０への入力電圧に対してバッファ回路１２０からの出力電圧が劣化してしまうことを確実に抑えることができる。なお、バッファ回路１２０の動作については後述する。
【００２７】
バッファ回路１２０は、電流能力が強化された変調信号をコンデンサ１３０へ出力する。コンデンサ１３０は、バッファ回路１２０から入力された変調信号に応じてその両端子間の電位が変化し、直流電源回路１１０からＬＥＤ群１４０へ供給されるＬＥＤ電流の電流値を変化させる。
【００２８】
以上のような構成によれば、コンデンサ１３０へバッファ回路１２０から変調信号を供給することで、供給した変調信号に応じてＬＥＤ群１４０を流れるＬＥＤ電流を変化させることが可能である。
【００２９】
また、本実施形態によれば、前述した特許文献１，２等に記載されたＦＥＴのオン／オフ（ＯＮ／ＯＦＦ）による信号伝達でなく、ＬＥＤ電流を変調するため、ＬＥＤ電流がオフ（ＯＦＦ）となることがない。従って、ＬＥＤ電流の変調においてＬＥＤの平均電流は同一であり、照明の明るさに影響を及ぼさない。このため、ＬＥＤ群１４０の輝度が低下してしまうことを確実に抑止できる。
【００３０】
また、前述した特許文献３に記載されているようなトランスを使用する必要がないため、ＬＥＤ変調駆動回路１００の大幅な小型化を達成することが可能となり、ＬＥＤ変調駆動回路１００が搭載された表示パネルの更なる小型化及び薄型化を達成することが可能となる。また、コンデンサ１３０を用いたことにより、製造コストを大幅に低減することができる。特許文献３のようにトランスを使用する場合と比較すると、新たに素子（トランス）を開発する必要がなく、設計が容易になるとともに、トランス設計工数等が削減可能であるため、製造コストを大幅に低減することが可能となる。
【００３１】
また、増幅回路（２）１６０における各トランジスタのベース（ｂａｓｅ）に接続される抵抗と増幅回路（２）１６０の電源電圧ＶＩＮ２の大きさに応じて、増幅回路（２）１６０のゲイン（Ｇａｉｎ）は容易に変化させることが可能である。
【００３２】
ＬＥＤ群１４０に対しては、コンデンサ１３０を介して変調信号が伝達されるため、ＡＣ成分のみ伝達される。特許文献１等に記載されたＦＥＴを使用せずに、ＬＥＤ群を流れるＬＥＤ電流にＡＣ成分を伝達するため、ＦＥＴのＧａｉｎおよび発熱等を考慮する必要がなく、回路構成を簡素にできるとともに、製造コストを低減することが可能である。
【００３３】
図２は、図１に示すＬＥＤ変調駆動回路１００の構成を更に詳細に示す模式図である。ここでは、図２に基づいて、バッファ回路１２０の機能について詳細に説明する。なお、図２においては、増幅回路（１）１５０の前段に設けられた変調回路１８０をともに図示している。上述のように、変調回路１８０は、デジタル信号をアナログに変換して得られた信号を増幅回路（１）１５０の入力端子１５１へ入力する。また、図２では、直流電源回路１１０に接続された平滑化のためのコンデンサ１９０を示している。
【００３４】
図２に示すように、バッファ回路１２０は、第１のバッファ回路１２２及び第２のバッファ回路１２４から構成されている。第１のバッファ回路１２２の入力端子１２２ａには、増幅回路（２）１６０から増幅された変調信号が入力される。変調信号の電圧が高い場合は、トランジスタ１２２ｂがオンし、トランジスタ１２２ｃがほぼオフすることによって、電位ＶＩＮの信号線１２２ｄからトランジスタ１２２ｂを経由して後段の第２のバッファ回路１２２への出力端子１２２ｆへ電流が流れる（矢印Ａ１方向）。このとき、トランジスタ１２２ｂの特性によって、第２のバッファ回路１２４へ流れる電流値は、第１のバッファ回路１２２へ入力された電流値と比較して大幅に増大させることができる。
【００３５】
また、変調信号の電圧が低い場合は、トランジスタ１２２ｂがほぼオフし、トランジスタ１２２ｃがオンすることによって、第２のバッファ回路１２２への出力端子１２２ｆからトランジスタ１２２ｃを経由して接地電位１２２ｅへ電流が流れる（矢印Ａ２方向）。この場合においても、トランジスタ１２２ｃの特性によって、矢印Ａ２方向流れる電流値を大幅に増大させることができる。これにより、第１のバッファ回路１２２に入力された変調信号に応じて、矢印Ａ１方向の電流と矢印Ａ２方向の電流が交互に流れる。
【００３６】
ここで、第１のバッファ回路１２２の入力信号に対して、第１のバッファ回路１２２の出力信号は正位相となる。第２のバッファ回路１２４の出力端子１２４ａでは、矢印Ａ３方向の電流と矢印Ａ４方向の電流が交互に流れる。従って、第２のバッファ回路１２４においても、第１のバッファ回路１２２と同様に電流値を増大させることができる。
【００３７】
以上の構成により、第１のバッファ回路１２２及び第２のバッファ回路１２４において、変調信号に応じて電流量を増大させることができる。これにより、後段のコンデンサ１３０が充放電する際の電流量を増大させることが可能となり、コンデンサ１３０の充放電時間を大幅に短縮することができる。これにより、コンデンサ１３０のみを用いた場合は高周波領域での信号伝達が比較的困難になることが想定されるが、バッファ回路１２０をコンデンサ１３の前段に設けたことにより、変調回路１８０から入力される高周波の変調信号に対応することができ、コンデンサ１３０を変調信号の周波数に従って確実に充放電させることができる。また、バッファ回路１２０を設けたことにより、特許文献３のようにトランスを使用する場合と比較すると電流能力が増大し、変調信号に応じた電流値を増大することができるため、変調信号にノイズ等が含まれることを抑止できる。従って、本実施形態のバッファ回路１２４によれば、コンデンサ１３０を用いた場合に、ＬＥＤ電流を確実に変調することが可能である。更に、バッファ回路１２０を特別に設計・開発する必要はないため、本実施形態に係るコンデンサ１３０を用いたＬＥＤ変調駆動回路１００は、容易に設計することが可能である。
【００３８】
そして、コンデンサ１３０が変調信号に応じて充放電することによって、直流電源回路１１０から送られたＬＥＤ電流を変調させることが可能となる。
【００３９】
図１及び図２に示すＬＥＤ変調駆動回路１００によれば、インダクタ１７０を用いて直流電源回路１１０とＬＥＤ群１４０を断絶しているため、ＬＥＤ群１４０に対して直列にＦＥＴを付加する必要性がなく、発熱の発生を確実に抑止することができる。更に、変調信号の強度を増幅回路（１）１５０、増幅回路（２）１６０にて容易に調整することが可能となる。また、キャリア信号伝送回路（増幅回路（１）１５０、増幅回路（２）１６０、バッファ回路１２０、コンデンサ１３０）とＬＥＤ点灯回路（直流電源回路１１０、インダクタ１７０）が独立して構成されるため、回路設計、開発を容易に行うことも可能である。
【００４０】
図３は、ＬＥＤ群１４０の構成を示す模式図である。図３に示すようにＬＥＤ群１４０は複数のＬＥＤ１４４が平面上に配置された構成を有している。ＬＥＤ群１４０は、液晶表示パネルなどの表示パネルのバックライトとして使用されることができる。ＬＥＤ変調駆動回路１００によってＬＥＤ群１４０を流れるＬＥＤ電流が変調されると、ＬＥＤ群１４０の発光の強弱が変調回路の周波数に応じて変化し、これにより、ＬＥＤ群１４０の光を受光する受光装置へ情報を伝達することができる。従って、本実施形態のＬＥＤ変調駆動回路１００を表示パネルに適用することで、表示パネルを、動画、静止画を表示する装置として機能させるとともに、情報を伝達する装置として機能させることができる。
【００４１】
図４は、図２のＬＥＤ変調駆動回路１００により変調された、ＬＥＤ群１４０を流れるＬＥＤ電流を説明するための特性図である。ここで、図４の上段の特性図は、ＬＥＤ電流を示している。また、図４の下段の特性図は、ＬＥＤ群１４０にかかる電圧値を示している。
【００４２】
図４の上段の特性図に示す１３０［ｍＡ］の直流電流の特性２００は、直流電源回路１１０から出力された直流の電流値を示している。また、特性２１０は、コンデンサ１３０から供給された変調信号により変調された、ＬＥＤ群１４０を流れる電流値を示している。図２において、コンデンサ１３０が容量結合する点Ｐよりも直流電源回路１１０側には特性２００の電流が流れ、点ＰよりもＬＥＤ群１４０側には特性２１０の電流が流れる。このように、変調信号を、コンデンサ１３０を介して直流電源回路１１０から出力されたＬＥＤ電流に結合することで、ＬＥＤ電流を精度良く変調することが可能である。変調された特性２００のＬＥＤ電流の平均値は、変調される前の特性２１０の電流値と同一であるため、変調によるＬＥＤ群１４０の輝度の低下を確実に抑えることが可能となる。
【００４３】
また、図４の下段の特性図は、図４の上段の特性２１０の場合に、ＬＥＤ群１４０にかかる電圧を示している。図４の例では、変調回路１８０から１００［ＫＨｚ］の周波数の変調信号を供給してＬＥＤ電流を変調した場合を示している。
【００４４】
図５は、図２に示した本実施形態のＬＥＤ変調駆動回路１００により変調したＬＥＤ電流のＡＣ特性を示す特性図であって、横軸は変調信号の周波数を、縦軸は変調信号によって変調されたＬＥＤ電流の振幅比をそれぞれ示している。図５において、縦軸の値が０．００の場合、入力信号と出力信号の振幅が同一であることを示している。
【００４５】
図５に示すように、本実施形態のＬＥＤ変調駆動回路１００によれば、変調信号の周波数が３５［ＭＨｚ］程度まで増加した場合であっても、振幅を確保することができ、ＬＥＤ電流を変調させることが可能である。これにより、ＬＥＤ群１４０に変調されたＬＥＤ電流が供給されることにより、各ＬＥＤ１４４の光量が増減し、ＬＥＤ群１４０の光を受光する機器に対して情報を送信することができる。
【００４６】
ここで、バッファ回路１２０を設けていない場合は、増幅回路等の各素子に含まれる寄生容量、寄生抵抗、寄生コイル、ノイズ等により、高周波になるほど変調信号が劣化して所望の信号が得られなくなり、いわゆる信号が「なまった」状態となる。しかし、本実施形態のＬＥＤ変調駆動回路１００では、バッファ回路１２０をコンデンサの前段に設けているため、コンデンサ１３０に入力される変調信号の電流能力を強化することができ、コンデンサ１３０からＬＥＤ電流に対して、寄生容量等やノイズ等によって劣化されていない所望の変調信号が供給される。従って、図５に示すように、変調信号が高周波の場合であっても、変調されたＬＥＤ電流の振幅比を確保することが可能である。
【００４７】
図１及び図２に示したように、ＬＥＤ群１４０の終端は接地されている。ＬＥＤ群１４０の終端の電流値は、直流電源回路１１０へフィードバックされる。直流電源回路１１０は、ＬＥＤ群１４０の終端の電流値に応じて、ＬＥＤ群１４０に供給するＬＥＤ電流の電圧を制御する。例えば、ＬＥＤ群１４０の終端の電流値が目標値よりも少ない場合は、直流電源回路１１０の電圧値を増加させ、ＬＥＤ群１４０の終端の電流値が目標値よりも多い場合は、直流電源回路１１０の電圧値を低下させる制御を行う。これにより、ＬＥＤ群１４０に流れる電流を最適に制御することが可能となる。
【００４８】
以上説明したように本実施形態によれば、バッファ回路１２０により変調信号の電流能力を強化してコンデンサ１３０に供給するため、変調信号の劣化を抑えることができ、ＬＥＤ電流に容量結合されるコンデンサ１３０によってＬＥＤ電流を確実に変調することができる。また、変調信号の電流をバッファ回路１２０によって増大することができるため、コンデンサ１３０が充放電する際の電流を増大することが可能となり、高周波の変調信号であってもＬＥＤ電流を変調することが可能となる。
【００４９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５０】
１００    ＬＥＤ変調駆動回路
１２０    直流電源回路
１３０    コンデンサ
１４０    ＬＥＤ群
１５０，１６０    増幅回路
【図１】
2014011743.tif 000003
【図２】
2014011743.tif 000004
【図３】
2014011743.tif 000005
【図４】
2014011743.tif 000006
【図５】
2014011743.tif 000007